(57)【要約】【課題】ストロボ光の照射方向等を容易に調整することが可能となる撮像装置を提供する。【解決手段】カメラ本体と照明装置を備える撮像装置であって、照明装置は、照明光を照射する発光部とカメラ本体と着脱可能なベース部と、発光部の光照射方向を変更させる駆動部と、を有し、カメラ本体に装着されるレンズ鏡筒またはカメラ本体に、照明装置の光照射方向を変更させるための信号を出力する操作部を設けたことを特徴とする。【選択図】図２
2022003372.tif 000002
【特許請求の範囲】
【請求項１】
カメラ本体と照明装置を備える撮像装置であって、
前記照明装置は、照明光を照射する発光部と前記カメラ本体と着脱可能なベース部と、前記発光部の光照射方向を変更させる駆動部と、を有し、
前記カメラ本体に装着されるレンズ鏡筒または前記カメラ本体に、前記照明装置の前記光照射方向を変更させるための信号を出力する操作部を設けたことを特徴とする撮像装置。
【請求項２】
前記操作部は、レンズの光軸周りに回転操作可能であることを特徴とする請求項１に記載の撮像装置。
【請求項３】
前記操作部は、前記照明装置の前記光照射方向を変更するためのタッチパネルを含むことを特徴とする請求項１または２に記載の撮像装置。
【請求項４】
前記操作部は、操作量に応じた角度だけ前記照明装置の前記光照射方向を変更するための前記信号を生成する第１操作部材と第２操作部材を含み、
前記第１操作部材の操作に応じて変化する前記照明装置の前記光照射方向を、前記第２操作部材で変更するように構成したことを特徴とする請求項１〜３のいずれか１項に記載の撮像装置。
【請求項５】
前記レンズ鏡筒は、前記操作部からの前記信号を前記照明装置または前記カメラ本体のいずれかに送信する送信部を有することを特徴とする請求項１〜４のいずれか１項に記載の撮像装置。
【請求項６】
前記照明装置の前記光照射方向は、前記ベース部と前記発光部との相対角度を変更することによって変更されることを特徴とする請求項１〜５のいずれか１項に記載の撮像装置。
【請求項７】
前記相対角度は、第１の相対角度と、前記第１の相対角度と直交する第２の相対角度を含むことを特徴とする請求項６に記載の撮像装置。
【請求項８】
前記操作部から出力される前記信号は、前記第１の相対角度を変更する信号と前記第２の相対角度を変更する信号の少なくとも一方であることを特徴とする請求項７に記載の撮像装置。
【請求項９】
照明光を照射する発光部と、カメラ本体と着脱可能なベース部と、前記発光部の光照射方向を変更するための駆動部と、を有する照明装置であって、
前記カメラ本体に装着されるレンズ鏡筒または前記カメラ本体に設けた操作部からの信号を受信する受信部と、
前記受信部が受信した前記信号に応じて前記駆動部によって、前記照明装置の前記光照射方向を変更させる制御部と、
を有することを特徴とする照明装置。
【請求項１０】
前記受信部は、前記操作部からの前記信号に基づき生成されたワイヤレス信号を受信することを特徴とする請求項９に記載の照明装置。
【請求項１１】
照明光を照射する発光部と、カメラ本体と着脱可能なベース部と、前記発光部の光照射方向を変更するための駆動部と、を有する照明装置が装着可能なカメラ本体であって、
前記照明装置の前記光照射方向を変更させるために、前記カメラ本体に装着されるレンズ鏡筒または前記カメラ本体に設けた操作部からの信号を前記照明装置に送信する送信部と、
を有することを特徴とするカメラ本体。
【請求項１２】
照明光を照射する発光部と、カメラ本体と着脱可能なベース部と、前記発光部の光照射方向を変更するための駆動部と、を有する照明装置が装着可能な前記カメラ本体に対して装着可能なレンズ鏡筒であって、
操作に応じて、前記照明装置の前記光照射方向を変更させるための信号を生成する操作部と、
前記操作部によって生成された前記信号を、前記照明装置または前記カメラ本体に対して送信する送信部と、
を有することを特徴とするレンズ鏡筒。
【発明の詳細な説明】
【技術分野】
【０００１】
本発明は、撮像装置、照明装置、カメラ本体、及びレンズ鏡筒に関する。
【背景技術】
【０００２】
デジタルカメラなどの光学機器による撮影において、被写体に照明を照射するためにストロボ装置（照明装置）が用いられている。またストロボ装置を用いて被写体に自然な照明を照射して撮影する手法として、バウンス撮影が挙げられる。
【０００３】
バウンス撮影では、ストロボ装置が発光するストロボ光を天井や壁などの反射体に向けて照射し、反射体で拡散したバウンス光によって被写体に間接的に照明を照射する。ストロボ装置から被写体あるいは反射体までの距離が変わると、バウンス撮影でストロボ光が反射する角度は変化する。そのため被写体への照明の照射角度が変化する。従って、適切な撮影を行うためには、撮影者はそれらの条件に変化が生じた場合は、ストロボ光の照射角度を調整する必要がある。照射角度の調整は、撮影者がストロボ装置を直接把持して変更することが一般的であった。
【０００４】
特許文献１には、ストロボ光の照射角度を自動で調整するシステムの一例が開示されている。このシステムでは、測距回路１によって被写体までの距離を測距し、測距回路２によってカメラ上方の物体までの距離を測定する。バウンス撮影時には測距回路１及び２からの距離情報に基づいて、モータドライバ回路によりストロボ照射角度を適切な位置に駆動する。
【先行技術文献】
【特許文献】
【０００５】
【特許文献１】特開平４−３４０５２７号公報
【発明の概要】
【発明が解決しようとする課題】
【０００６】
上記特許文献１では、ストロボ光の照射角度を自動で変更している。しかしモータドライバ回路により駆動されたストロボ照射角度や照射方向が、撮影者自身の意図と異なったものになってしまう問題があった。
【０００７】
また、撮影者がストロボ光の照射角度や照射方向を調整するためには、撮影者がストロボ装置を直接把持して照射角度や照射方向を調整していた。従って、操作が煩雑となり、カメラのファインダーやモニターから目を離すことや、カメラ本体あるいはレンズ鏡筒から手を離してしまう場合もあった。その場合、ストロボ光の照射角度を調整している間に意図していた撮影の瞬間を撮り逃してしまうこともあった。
【０００８】
そこで、本発明の目的は、ストロボ光の照射方向等を容易に調整することが可能となる撮像装置を提供することを目的とする。
【課題を解決するための手段】
【０００９】
上記目的を達成するために、本発明の撮像装置は、カメラ本体と照明装置を備える撮像装置であって、照明装置は、照明光を照射する発光部とカメラ本体と着脱可能なベース部と、発光部の光照射方向を変更させる駆動部と、を有し、カメラ本体に装着されるレンズ鏡筒またはカメラ本体に、照明装置の光照射方向を変更させるための信号を出力する操作部を設けたことを特徴とする。
【発明の効果】
【００１０】
本発明によれば、例えば、ストロボ光の照射方向等を容易に調整することが可能となる撮像装置を提供することができる。
【図面の簡単な説明】
【００１１】
【図１】実施例１におけるストロボ操作システムを構成するカメラ用交換レンズとカメラ本体とストロボ装置の断面図である。
【図２】実施例１におけるストロボ操作システムの全体を示す斜視図である。
【図３】実施例１のストロボ発光部がティルト動作により略３０度上方向に変化した状態を示す図である。
【図４】実施例１のストロボ発光部がティルト動作により略６０度上方向に変化した状態を示す図である。
【図５】実施例１のストロボ発光部がパン動作により略４５度左方向に変化した状態を示す図である。
【図６】実施例１のストロボ発光部がパン動作により略４５度右方向に変化した状態を示す図である。
【図７】実施例２におけるストロボ操作システムの全体を示す斜視図である。
【図８】実施例３におけるストロボ操作システムの全体を示す斜視図である。
【図９】実施例３におけるタッチパネル付近の拡大図である。
【発明を実施するための形態】
【００１２】
＜実施例１＞
図１は、実施例１のストロボ操作システムを構成するカメラ用交換レンズ（レンズ鏡筒）とカメラ本体１００とストロボ装置（照明装置）４００の断面図を示している。なお、この交換レンズは、４群構成の変倍光学系を有する。各群は第１群レンズＬ１、光軸方向（光軸に沿った方向）に進退することにより合焦動作を行う第２群レンズＬ２、第３群レンズＬ３、第４ａ群レンズＬ４ａ、第４ｂ群レンズＬ４ｂである。また第１群レンズＬ１、第２群レンズＬ２、第３群レンズＬ３、第４ａ群レンズＬ４ａ、第４ｂ群レンズＬ４ｂが光軸方向に進退することにより、変倍動作が行われる。なお、ここで光軸とは、レンズ鏡筒の光学系の光軸を指す。
【００１３】
カメラ本体１００は、ＣＣＤやＣＭＯＳ等の撮像素子１００ａを有する。また外部ストロボ装着部を有する。外部ストロボ装着部には不図示のカメラ側接点１００ｂが設けられている。ストロボ装置４００を外部ストロボ装着部に装着すると、ストロボ装置４００に設けられた不図示のストロボ側接点４０２ａとカメラ側接点１００ｂとが接触する。カメラ側接点１００ｂとストロボ側接点４０２ａとは、カメラ本体１００とストロボ装置４００とが通信を行うために設けられている。
【００１４】
マウント１０１は、カメラ本体１００に着脱可能に取り付けるためのバヨネット部を有しており、固定筒１０２にビス止め固定されている。固定筒１０２には、不図示の目盛窓とＳＷパネルが取り付けられている。ＳＷパネルに設けられたスイッチを切り替えることによって、オートフォーカスなどの機能を選択して使用することができる。外装環１０３は、マウント１０１と固定筒１０２との間に挟み込まれて固定されている。
【００１５】
案内筒１０４は、固定筒１０２にビス止め固定されることでカメラ本体１００に対して固定部を構成している。案内筒１０４の外周には、１群コロ２１３や不図示のインナーカム筒コロ、３群カム筒コロ、４群コロによって光軸周りの回転のみ可能となっているカム筒１０５が嵌合している。これにより、カム筒１０５を回転させると案内筒１０４に設けられた光軸方向の案内溝とカム筒１０５に設けられたカム溝との交点が移動する。この交点の移動に従い、コロを介して各群のレンズ保持枠を光軸方向へ移動させることができる。
【００１６】
フィルタ枠２１０の先端外周にはバヨネット部が、内周にはネジ部が設けられていて、それぞれフードやフィルタなどのアクセサリが装着可能となっている。また、フィルタ枠２１０には第１群レンズＬ１を保持する１群保持枠２１１がビス止め固定されている。フィルタ枠２１０と１群保持枠２１１との当接部はそれぞれ周方向に延びる斜面形状に形成されている。よって１群保持枠２１１を回転させてフィルタ枠２１０に取り付けることにより、１群保持枠２１１のフィルタ枠２１０に対する光軸方向の取り付け位置を選択することができる。これにより、製造誤差による広角側と望遠側の焦点位置のズレを補正することができる。フィルタ枠２１０は直進筒２１２にビス止め固定されている。直進筒２１２には１群コロ２１３がビス止め固定されている。
【００１７】
第４ａ群レンズＬ４ａおよび第４ｂ群レンズＬ４ｂを保持する４群保持枠２４１は、４群ベース２４３に保持されている。４群ベース２４３には不図示の４群コロがビス止め固定されている。４群コロは案内筒１０４に設けられた光軸方向の案内溝とカム筒１０５に設けられたカム溝と係合している。従って、案内筒１０４に対してカム筒１０５が回転すると、案内溝とカム溝との交点が移動することで４群コロが光軸方向へ移動する。それにより、４群ベース２４３と一体となって第４ａ群レンズＬ４ａおよび第４ｂ群レンズＬ４ｂの光軸方向への移動が行われる。
【００１８】
また４群ベース２４３の内周において、４群保持枠２４１の前方には開放口径の決定および有害光のカットを目的とする副絞り３１１が弾性結合されている。４群ベース２４３の外周には、不図示の３群カム筒コロによって光軸周りの回転のみ可能となっている３群カム筒２３０が嵌合している。３群カム筒２３０には３群カム筒コロがビス止め固定されていて、カム筒１０５に設けられた直進溝と係合している。
【００１９】
第３群レンズＬ３を保持する３群保持枠２３１には、不図示の３群コロがビス止め固定されている。３群コロは４群ベース２４３に設けられた光軸方向の案内溝と３群カム筒２３０に設けられたカム溝と係合している。従って、４群ベース２４３に対して３群カム筒２３０が回転すると、案内溝とカム溝との交点が移動することで３群コロが光軸方向へ移動する。
【００２０】
それにより、４群ベース２４３に保持された第４ａ群レンズＬ４ａおよび第４ｂ群レンズＬ４ｂと、３群保持枠２３１に保持された第３群レンズＬ３との間隔が変化する。また案内筒１０４に対してカム筒１０５が回転すると、４群ベース２４３と３群カム筒２３０との光軸方向への移動が行われる。それにより、４群ベース２４３と３群カム筒２３０とに３群コロで支持された３群保持枠２３１が光軸方向へ移動することでも、第３群レンズＬ３の移動が行われる。また絞り駆動部と絞り羽根部とから構成される電磁絞りユニット３０１は、３群保持枠２３１の前方にビス止め固定されている。
【００２１】
ズーム操作環１０６は、周方向に設けられている溝にバヨネット形状が係合することで、光軸方向の移動が規制された状態で光軸周りの回転のみが可能となっている。ズーム操作環１０６の外周にはズームゴム１０７が巻き付けられている。ズーム操作環１０６の内周には不図示のズームキーがビス止め固定されていて、カム筒１０５に設けられた凹部と係合している。これにより、ズームキーを介してズーム操作環１０６と一体的にカム筒１０５を回転させることができる。ズーム操作環１０６にビス止め固定された不図示のズームブラシは、エンコーダフレキシブル基板のグレイコードパターン上を摺動して、ズーム操作環１０６とエンコーダフレキシブル基板の位置関係を検出するために用いられる。
【００２２】
フォーカスユニット１０８は、案内筒１０４にビス止め固定されている。フォーカスユニット１０８は主として振動型モータと作動機構とで構成されている。振動型モータのロータ回転量とフォーカス操作環１０９の回転量に応じた不図示のフォーカスキーの回転量を出力する。フォーカス操作環１０９の外周にはフォーカスゴム１１０が巻き付けられている。またフォーカスユニット１０８から円弧上に延出した延出部の内周には、不図示のスケール基板が貼り付けられている。それに対向するように配置された不図示の位置検出センサによって、フォーカス操作によるフォーカスキーの回転量を検出する。更に、フォーカスユニット１０８の外周側におけるエンコーダフレキシブル基板が設けられていない位相には突出部が設けられている。この突出部には不図示のコロがビス止め固定されている。
【００２３】
インナーカム筒２０１には、不図示のインナーカム筒コロ２０２がビス止め固定されている。このコロは案内筒１０４に設けられたカム溝およびカム筒１０５に設けられた光軸方向溝に係合する。このためインナーカム筒２０１はカム筒１０５と一体的に回転しながら光軸方向に進退する。
【００２４】
第２群レンズＬ２を保持する２群保持枠２２２は、外周に取り付けられた不図示の２群カムフォロア２２３がインナーカム筒２０１の内周に設けられたカム溝に係合している。また２群保持枠２２２から延出した不図示のフォーカスキー係合形状２２２ａは、フォーカスキーと一体的に回転するよう係合している。このため、２群保持枠２２２はカム筒１０５が回転する（フォーカスキーは停止）と、インナーカム筒２０１の光軸方向進退量とインナーカム筒２０１のカム溝の回転に伴う係合点の光軸方向変化量の合計量だけ光軸方向に進退する。またフォーカスキーが回転する（カム筒１０５は停止）と、回転しながらインナーカム筒２０１のカム溝との係合点の光軸方向変化量に応じて進退する。
【００２５】
実施例１の交換レンズでは、これらの機構によりインナーフォーカスにおける焦点距離変化に伴う焦点位置ズレをメカ的に補正して第２群レンズＬ２を光軸方向に進退させる。
【００２６】
メイン基板１１４は、フォーカスユニット１０８、電磁絞りユニット３０１、およびフレキシブル基板（エンコーダフレキシブル基板と可撓性フレキシブル基板を含む）を介して、または直接電気的に接続され、各種制御を行う。
【００２７】
コントロールリング１１１は、光軸方向の移動が規制された状態で光軸周りに回転操作可能な部材であって、光軸周りの回転のみが可能となっている。コントロールリング１１１の回転量は不図示の位置検出センサにより検出される。検出された回転量の情報は、フレキシブル基板を介してメイン基板１１４に送られる。
【００２８】
接点ブロック１１５は、マウント１０１にビス止め固定され、メイン基板１１４とフレキシブル基板を介して接続される。接点ブロック１１５はカメラ本体１００との通信および電源の供給を行うために設けられている。裏蓋１１６はマウント１０１に弾性結合して有害光をカットしている。保護ゴムリング１１７はマウント１０１に弾性結合している。
【００２９】
以上のように構成された交換レンズでは、ズーム操作環１０６を回転させるとズームキーを介してカム筒１０５が回転し、上記機構に従い全てのレンズが光軸方向に進退して変倍が行われる。なおこの際、３群カム筒２３０は４群ベース２４３と光軸方向に一体となって進退する。そして３群カム筒２３０にビス止め固定された不図示の３群カム筒コロが案内筒１０４に設けられたカム溝に沿って動くことで、４群ベース２４３に対して光軸周りに回転する。それにより、第３群レンズＬ３を保持する３群保持枠２３１の光軸方向への駆動が行われる。また４群ベース２４３の光軸方向の進退により、副絞り３１１に設けられた不図示の副絞りコロが案内筒１０４に設けられたカム溝に係合して駆動され、開閉動作が行われる。
【００３０】
一方、オートフォーカス時には振動型モータの駆動により、マニュアルフォーカス時にはフォーカス操作環１０９を回転させることで、それぞれフォーカスキーが回転する。これにより上記機構に従って第２群レンズＬ２が進退し、合焦を行うことができる。
【００３１】
次に、図２から図６を用いて、実施例１におけるストロボ装置４００の照射方向の操作について説明する。図２は、実施例１におけるストロボ操作システムを構成するレンズ鏡筒とカメラ本体１００とストロボ装置４００の全体斜視図である。ストロボ装置４００は、ストロボ発光部（照明発光部）４０１とストロボベース部４０２と、照射方向を変更するためのストロボ駆動モータ（駆動部）で構成されている。図２から図８に示すようにカメラを正立させたときに、ｘ軸はレンズ鏡筒の光軸に直交する水平方向の軸であり、ｙ軸は光軸に直交する鉛直方向の軸であり、ｚ軸は光軸と平行な軸である。ｘ軸、ｙ軸、及びｚ軸は相互に直交している。また、ストロボ発光部４０１はストロボベース部４０２に対してｘ軸周りのティルト回転と、ｙ軸周りのパン回転とが、それぞれ独立してできるように構成されている。
【００３２】
ストロボ発光部４０１は、カメラ本体１００内に設けたマイコン等のカメラシステムからの発光指示情報に基づいて、ストロボ光（照明光）を、ストロボ発光部４０１の発光窓４０１ａを介して照射（発光）する。なお、図２の状態においてストロボ発光部４０１は被写体に対して正面を向いていて、ｚ軸方向を発光分布の中心とするストロボ光を被写体側に照射する。この時、ストロボ発光部４０１の照射方向はｚ軸方向となっている。
【００３３】
ストロボベース部４０２は、カメラ本体１００と着脱可能に構成され、底面にストロボ側接点４０２ａが設けられており、カメラ本体１００に設けられたカメラ側接点１００ｂと電気的に接続して通信が行われる。この通信によって、例えばカメラ本体１００からストロボ装置４００に対してストロボ発光部４０１の発光量の情報や、ストロボ駆動モータの回転量の指示情報等の信号が通信される。
【００３４】
ストロボ駆動モータは、ストロボ装置４００の内部に有している不図示のアクチュエータである。ストロボ駆動モータが回転することで、ストロボ発光部４０１をストロボベース部４０２に対して駆動させることができ、ストロボベース部４０２に対して、ストロボ発光部４０１は相対角度が変更可能となる。これによって、ストロボ光の照射方向（光照射方向）が変更可能となる。なお、ストロボ駆動モータはストロボ発光部４０１をｘ軸周りに回転駆動する第１のモータと、ストロボ発光部４０１をｙ軸周りに回転駆動する第２のモータを有する。
【００３５】
ストロボ駆動モータの回転によりストロボ発光部４０１がｘ軸周りで回転駆動されることで、ストロボ光の照射方向はカメラ本体１００に対して鉛直方向で変化する。以降、当該動作をティルト動作と呼ぶ。また、ストロボ駆動モータの回転によりストロボ発光部４０１が、ｙ軸周りで回転駆動されることで、ストロボ光の照射方向はカメラ本体１００に対して左右方向で変化する。以降、当該動作をパン動作と呼ぶ。
【００３６】
バウンス撮影においては、ストロボ光を天井や壁などの反射体に向けて照射し、反射体で拡散したバウンス光によって被写体に間接的に照明を照射する。従って、バウンス撮影時には被写体までの距離およびストロボ光が反射する反射体までの距離に応じて、ストロボ光の照射方向を適切に設定することが必要である。また、被写体や反射体までの距離以外にも、撮影機材や撮影者の意図などに応じて、例えば上述のストロボ光の照射方向の適切な条件は異なる。そのため、バウンス撮影においてはストロボ光の照射方向を撮影毎に適切に設定することが必要である。
【００３７】
実施例１においては、ストロボ発光部４０１がティルト動作及びパン動作により２軸周りで回転駆動されることで、ストロボ発光部４０１から照射されるストロボ光の照射方向を自由に調整することが可能となっている。また、実施例１では、ストロボ光の照射方向の調整は、操作部として機能するコントロールリング１１１を用いて行う。操作部には、ファンクションボタン（第２操作部材）１１２も含まれる。以下、ストロボ発光部４０１から照射されるストロボ光の照射方向の調整方法について説明する。
【００３８】
まず、コントロールリング１１１を光軸周りに回転させてその回転量と回転方向とを、レンズ鏡筒の内部に設けられた不図示のエンコーダを介してメイン基板１１４が検出する。これにより、ストロボ装置４００のストロボ発光部４０１が例えばティルト動作のためのｘ軸周りの回転動作を行うための回転指示情報として第２の駆動信号が生成される。第２の駆動信号は、送信回路を含むメイン基板１１４から接点ブロック１１５を介して、カメラ本体１００に送信される。なお、実施例１においては、メイン基板１１４は、第２の駆動信号をカメラ本体１００に送信するレンズ鏡筒側の送信部としても機能する。カメラ本体１００では、第２の駆動信号を受信し、マイコンで処理することで、第１の駆動信号を生成する。なお、実施例１においては、マイコンは、第２の駆動信号を受信し、且つストロボ装置４００に第１の駆動信号を送信するための、カメラ本体１００側の送受信部（通信部）としても機能する。第１の駆動信号はカメラ側接点１００ｂを介して、ストロボ装置４００に送られる。
【００３９】
ストロボ装置４００に送られた第１の駆動信号は、ストロボ装置４００内に設けた不図示の制御部が受信し、第１の駆動信号に応じてストロボ駆動モータを回転駆動させる。なお、ストロボ装置４００内に設けた制御部は、第１の駆動信号を受信する受信部としても機能する。ストロボ発光部４０１を駆動することで、ストロボベース部４０２に対するストロボ発光部４０１の相対的なティルト角度が変化するため、ストロボ発光部４０１のティルト角度調整が可能となる。
【００４０】
具体的には、ストロボ発光部４０１の角度調整をする際に、カメラ本体１００から被写体を見た状態で、コントロールリング１１１の例えば時計回り方向の回転により、ストロボ発光部４０１の向きは上方向にティルト駆動される。このストロボベース部４０２に対するストロボ発光部４０１のティルト方向の相対角度を第１の相対角度とする。この場合、メイン基板１１４は、前述のように、ティルト動作における第１の相対角度を変更する信号として第２の駆動信号を生成する。一方、コントロールリング１１１の反時計回り方向の回転により、ストロボ発光部４０１の向きは下方向にティルト駆動される。
【００４１】
例えばティルト動作の軸に関してストロボ発光部４０１の照射方向を調整した後で、パン動作の軸に関するストロボ発光部４０１の照射方向の調整を行う場合には、ファンクションボタン１１２を光軸と略直交する方向に押しこむ。それによって、レンズ鏡筒の内部に設けられた不図示のスイッチが押される。スイッチはフレキシブル基板を介してメイン基板１１４に電気的に接続されている。そして、ファンクションボタン１１２が押しこまれたことをメイン基板１１４が検知すると、コントロールリング１１１の回転によるストロボ光の照射方向駆動は、パン動作のためのｙ軸周りの回転動作に切り替わる。ここで、ストロボベース部４０２に対するストロボ発光部４０１のパン方向の相対角度を第２の相対角度とする。第２の相対角度は第１の相対角度に対して直交している。
【００４２】
ファンクションボタン１１２が押しこまれた状態において、カメラ本体１００から被写体を見た状態で、コントロールリング１１１を時計回り方向に回転すると、ストロボ発光部４０１は例えば右方向にパン回転駆動される。一方、コントロールリング１１１の反時計回り方向の回転により、ストロボ発光部４０１は左方向にパン回転駆動される。
【００４３】
このように、ティルト動作及びパン動作のいずれも、コントロールリング１１１を光軸周りに回転させてその操作量（回転量）を検出する。そして検出した操作量（回転量）に応じた角度だけ、ストロボベース部４０２に対するストロボ発光部４０１の相対角度を変更することができる。これによりストロボ光の照射方向の調整が可能となる。
【００４４】
さらに、この状態（パン動作の状態）で、ファンクションボタン１１２を再度押すと、コントロールリング１１１の回転によるストロボ光の照射方向駆動は、ティルト動作の軸の操作に切り替わる。このときファンクションボタン１１２は再び突出した状態を維持する。このように、ファンクションボタン１１２を押すたびに、パン動作とティルト動作にそれぞれ切り替わるとともにファンクションボタン１１２は突出量が切り換わるような構造となっている。そして、パン動作とティルト動作の際には、上述のようにコントロールリング１１１を操作することでコントロールリング１１１の回転方向と操作量（回転量）に応じてストロボ発光部４０１が駆動し、ストロボ光の照射方向を繰り返し調整することが可能となる。
【００４５】
なお、上記のように、ファンクションボタン１１２は１回押し込むと押し込まれた状態を維持し、もう一回押し込むと、突出した状態を維持するような２つの安定状態を有する構造となっている。これによって、操作者はファンクションボタン１１２がティルト用の位置になっているのか、パン用の位置になっているのかを目視しなくても手探りで判断することができる。なお、上記のような構造のファンクションボタン１１２を用いる代わりに、例えば２つの安定状態を有するスライドスイッチなどを用いても良い。即ちスライドスイッチを一方の側にスライドすると、その位置を維持し、他方の側にスライドするとその位置を維持するようなスライドスイッチなどを用いても良い。そのような構造であっても手探りで適切な操作が可能となる。
【００４６】
以上の操作によって、ストロボ発光部４０１から照射されるストロボ光の照射方向の調整が簡単にできるようになる。このストロボ発光部４０１を駆動させ、ストロボ光の照射方向の調整が行われた後の状態の一例を、図３から図６に示す。なお、図３から図６に示しているストロボ発光部４０１の照射方向は、上述のようにカメラ本体１００から被写体を見た状態における方向である。図３はストロボ発光部４０１の照射方向がティルト動作により略３０度上方向に変化した状態を示す図である。図４はストロボ発光部４０１の照射方向がティルト動作により略６０度上方向に変化した状態を示す図である。図５はストロボ発光部４０１の照射方向がパン動作により略４５度左方向に変化した状態を示す図である。図６はストロボ発光部４０１の照射方向がパン動作により略４５度右方向に変化した状態を示す図である。
【００４７】
なお、実施例１において、ストロボ発光部４０１の調整はティルト動作を行った後にパン動作を行っているが、これに限定するものではない。パン動作の調整を行った後に、ティルト動作の調整を行っても良い。
【００４８】
また、コントロールリング１１１の回転方向とストロボ発光部４０１の駆動方向との関係性は、これに限定するものではない。ティルト動作を例にすると、実施例１では、カメラ本体１００から被写体を見た状態で、コントロールリング１１１の時計回り方向の回転により、ストロボ発光部４０１は上方向に駆動されるようにしている。これを反時計回り方向の回転で、ストロボ発光部４０１を上方向に駆動するようにしても良い。その場合、時計回り方向の回転でストロボ発光部４０１は下方向に駆動される。
【００４９】
さらに、例えば、ストロボ発光部４０１を上下方向に駆動させる動作とコントロールリング１１１の時計回り及び反時計回り方向の回転の対応付けを切り替えるための切り替えボタンを備えるようにしても良い。その場合、ストロボ装置４００、レンズ鏡筒、カメラ本体１００の少なくとも一つに備えても良い。パン動作の場合も同様に上述した構成とするようにしても良い。また、上記の切り替えボタンの機能をカメラ本体１００のディスプレイ（表示部）上の設定画面で設定できるようにしても良い。
【００５０】
以上のように、実施例１では、ストロボ光の照射方向を変更するストロボ駆動モータを駆動させる信号をレンズ鏡筒に設けられたコントロールリング１１１とファンクションボタン１１２の操作によって生成している。それにより、撮影者はカメラ本体１００とレンズ鏡筒を保持し、カメラ（カメラ本体）を構えてファインダーやモニターを覗いた姿勢のまま、ストロボ光の照射角度を容易に調整することが可能となる。従って、ストロボ光の照射方向を任意の方向に容易に調整することが可能となる。それによりカメラ本体１００やレンズ鏡筒の保持を安定的に行いつつ、ストロボ光の照射方向の調整を撮影者が容易に操作可能な機構を有する撮像装置を提供することができる。
【００５１】
＜実施例２＞
図７は、実施例２におけるストロボ操作システムを備えるレンズ鏡筒とカメラ本体１００とストロボ装置４００の全体斜視図である。カメラ本体１００、レンズ鏡筒、及びストロボ装置４００の構成において、実施例１と同様の構成についての説明は省略する。実施例２では、ストロボ光の照射方向の調整は、レンズ鏡筒に設けられたファンクションボタン（第２操作部材）１１２と操作ボタン（第１操作部材）５００を用いて行う。実施例２の操作部にはファンクションボタン１１２と操作ボタン５００が含まれる。
【００５２】
操作ボタン５００は、光軸直交面内で移動可能となるように固定筒１０２に保持されたシーソースイッチである。操作ボタン５００は、上側ボタン５００ａと下側ボタン５００ｂを有し、上側ボタン５００ａを光軸と略直交する方向に押すと、レンズ鏡筒の内部に設けられたアップスイッチがＯＮされる。下側ボタン５００ｂを光軸と略直交する方向に押すと、レンズ鏡筒の内部に設けられたダウンスイッチがＯＮされる。
【００５３】
上記アップスイッチ及びダウンスイッチはフレキシブル基板を介してメイン基板１１４に電気的に接続されている。上側ボタン５００ａまたは下側ボタン５００ｂが押されたことを検知すると、ストロボ装置４００のストロボ発光部４０１がティルト動作のためのｘ軸回りの回転動作を行うための回転指示情報として第２の駆動信号が生成される。第２の駆動信号はメイン基板１１４から接点ブロック１１５を介して、カメラ本体１００に送信される。カメラ本体１００では、第２の駆動信号を受信し、マイコンで処理することで、第１の駆動信号を生成する。
【００５４】
第１の駆動信号は、カメラ側接点１００ｂを介して、ストロボ装置４００に送られる。ストロボ装置４００に送られた第１の駆動信号は、ストロボ装置４００内の制御部が受信し、第１の駆動信号に応じてストロボ駆動モータによってストロボ発光部４０１をティルト回転させる。ストロボベース部４０２に対するストロボ発光部４０１のティルト角度が変化するため、ストロボ発光部４０１の照射方向のティルト角度調整が行われる。
【００５５】
具体的には、上側ボタン５００ａを押すことで、ストロボ発光部４０１は上方向に駆動される。下側ボタン５００ｂを押すことで、ストロボ発光部４０１は下方向に駆動される。ティルト動作の軸に関してストロボ発光部４０１の照射方向を調整した後、パン動作の軸に関するストロボ発光部４０１の照射方向の調整を行う。ファンクションボタン１１２を光軸と略直交する方向に押すと、レンズ鏡筒の内部に設けられたスイッチが押される。
【００５６】
スイッチは、フレキシブル基板を介してメイン基板１１４に電気的に接続されている。そして、ファンクションボタン１１２が押されたことをメイン基板１１４が検知すると、操作ボタン５００の操作によるストロボ光の照射方向駆動は、パン動作の軸の操作に切り替わる。上側ボタン５００ａまたは下側ボタン５００ｂを光軸と略直交する方向に押すことで、ティルト動作の軸に関するストロボ光の照射方向の調整と同様にストロボ発光部４０１のパン角度調整が可能となる。なお、パン動作においては、上側ボタン５００ａを押すことにより、ストロボ発光部４０１は、カメラ本体１００から被写体を見た状態で右方向に駆動される。下側ボタン５００ｂを押すことにより、ストロボ発光部４０１は、逆に左方向に駆動される。このように、ティルト動作及びパン動作のいずれも、上側ボタン５００ａ及び下側ボタン５００ｂの操作、例えば、押す時間の長さ、または押した回数等に応じて、ストロボベース部４０２に対するストロボ発光部４０１の相対角度を変更することができる。従って、ストロボ光の照射方向の調整が可能となる。
【００５７】
また、ファンクションボタン１１２を再度押すと、操作ボタン５００の操作によるストロボ光の照射方向駆動は、ティルト動作の軸の操作に切り替わる。実施例１と同様に、ファンクションボタン１１２を押すたびに、パン動作・ティルト動作に切り替わるとともに、ファンクションボタン１１２の突出量が切換わり、操作ボタン５００の操作に応じて、ストロボ光の照射方向を繰り返し調整することが可能である。なお、実施例２において、ストロボ発光部４０１の調整はティルト動作を行った後にパン動作を行っているが、これに限定するものではない。パン動作の調整を行った後に、ティルト動作の調整を行っても良い。
【００５８】
また、操作ボタン５００の操作内容とストロボ発光部４０１の駆動方向との関係性は、これに限定するものではない。ティルト動作を例にすると、実施例２では、上側ボタン５００ａを押すことで、ストロボ発光部４０１は上方向に駆動される。下側ボタン５００ｂを押すことで、ストロボ発光部４０１は下方向に駆動される。これを、上側ボタン５００ａを押すことで、ストロボ発光部４０１は上方向に駆動され、下側ボタン５００ｂを押すことで、ストロボ発光部４０１は上方向に駆動されるようにしても良い。さらに、例えば、ストロボ発光部４０１を上方向に駆動させるボタンを上側ボタン５００ａと下側ボタン５００ｂのどちらに対応付けるかを切り替えるための切り替えボタンをストロボ装置４００、レンズ鏡筒、またはカメラ本体１００のいずれかに備えても良い。パン動作の場合も同様に上述した構成とするようにしても良い。またカメラ本体１００のディスプレイの画面上で上記の対応関係を設定できるようにしても良い。
【００５９】
以上のように、実施例２では、ストロボ光の照射方向を変更するストロボ駆動モータを駆動させる信号をレンズ鏡筒に設けられた操作ボタン５００を操作することによって生成している。それにより、撮影者はカメラ本体１００とレンズ鏡筒を保持し、カメラ（カメラ本体）を構えてファインダーやモニターを覗いた姿勢のままストロボ光の照射角度を容易に調整することが可能となる。従って、ストロボ光の照射方向を任意の方向に容易に調整することが可能となる。それによりカメラ本体１００やレンズ鏡筒の保持を安定的に行いつつ、ストロボ光の照射角度の調整を撮影者が容易に操作可能な機構を有する撮像装置を提供することができる。
【００６０】
＜実施例３＞
図８は、実施例３におけるストロボ操作システムを備えるレンズ鏡筒とカメラ本体１００とストロボ装置４００の全体斜視図である。カメラ本体１００、レンズ鏡筒、及びストロボ装置４００の構成において実施例１と同様の構成についての説明は省略する。実施例３では、ストロボ光の照射方向の調整は、レンズ鏡筒に設けられたタッチパネル（第３操作部材）６００等の操作部を用いて行う。実施例３の操作部にはタッチパネル６００が含まれる。
【００６１】
タッチパネル６００は、撮影者が指で表面にふれたときの微小な静電容量変化をとらえて、その接触位置を特定するものである。図９は、タッチパネル６００付近の拡大図である。タッチパネル６００の表面の触れる位置に応じて、ストロボ装置４００がティルト動作・パン動作の軸に関する回転動作を行うための回転指示情報として第２の駆動信号が生成される。第２の駆動信号はメイン基板１１４から接点ブロック１１５を介して、カメラ本体１００に送信される。カメラ本体１００では第２の駆動信号を受信し、マイコンで処理することで、第１の駆動信号を生成する。
【００６２】
第１の駆動信号はカメラ側接点１００ｂを介して、ストロボ装置４００に送られる。ストロボ装置４００に送られた第１の駆動信号は、ストロボ装置４００内に有する制御部が受信し、第１の駆動信号に応じて、ストロボ駆動モータを回転駆動させる。ストロボ装置４００は、ストロボ発光部４０１を駆動させることで、ストロボベース部４０２に対するストロボ発光部４０１の相対角度が変化するため、ティルト動作及びパン動作のストロボ発光部４０１の角度調整（照射方向の調整）が可能となる。
【００６３】
具体的には、タッチパネル６００の表面に設けた十字形状の突起であるタッチパネル指標６００ａに対して、相対的に鉛直上側のタッチパネル６００の表面に触れることで、ストロボ発光部４０１はティルト動作の上方向に駆動される。また、タッチパネル指標６００ａに対して、相対的に鉛直下側のタッチパネル６００の表面に触れることで、ストロボ発光部４０１はティルト動作の下方向に駆動される。また、タッチパネル指標６００ａに対して、相対的に被写体側のタッチパネル６００の表面に触れることで、ストロボ発光部４０１はパン動作の左方向に駆動される。また、タッチパネル指標６００ａに対して、相対的にカメラ本体１００側のタッチパネル６００の表面に触れることで、ストロボ発光部４０１はパン動作の右方向に駆動される。このようにしてタッチパネル６００を操作することで、ストロボ装置４００の照射方向の調整が行われる。
【００６４】
なお、実施例３において、タッチパネル指標６００ａに対して触れる位置に応じてストロボ発光部４０１が駆動される方向を具体的に説明した。しかし、タッチパネル６００の表面上での操作内容とストロボ発光部４０１の駆動方向との関係性は、これに限定するものではない。
【００６５】
例えば、タッチパネル指標６００ａに対して、相対的に鉛直上下方向のタッチパネル表面に触れることで、ストロボ発光部４０１が左右方向のパン動作を行うようにしても良い。そして、相対的に鉛直左右方向のタッチパネル表面に触れることで、ストロボ発光部４０１が上下方向にティルト動作を行うようにしても良い。このように、ティルト動作及びパン動作のいずれもタッチパネル６００を操作、例えば、タッチパネル指標６００ａを押す時間の長さや強弱、または押した回数等に応じてストロボベース部４０２に対するストロボ発光部４０１の相対角度を変更することができる。従って、ストロボ光の照射方向の調整が容易に可能となる。
【００６６】
また、実施例３においては十字形状の突起であるタッチパネル指標６００ａをタッチパネル６００上の略中央に設けることによって手探りでもパン方向やティルト方向を把握することができるようにしている。しかし、４つのタッチパネルを上下左右に独立に設けても良い。あるいは、タッチパネル６００の代わりに機械的な十字形状のシーソースイッチ等の構造にしても良い。
【００６７】
以上のように、実施例３では、ストロボ光の照射方向を変更するためのストロボ駆動モータを駆動させる信号をレンズ鏡筒に設けられたタッチパネル６００の表面にあるタッチパネル指標６００ａを基準に操作することによって生成している。それにより、撮影者はカメラ本体１００とレンズ鏡筒を保持し、カメラ（カメラ本体）を構えてファインダーやモニターを覗いた姿勢のままストロボ光の照射角度を容易に調整することが可能となる。従って、ストロボ光の照射方向を任意の方向に容易に調整することが可能となる。それによりカメラ本体１００やレンズ鏡筒の保持を安定的に行いつつ、ストロボ光の照射角度の調整を撮影者が容易に操作可能な機構を有する撮像装置を提供することができる。
【００６８】
上記各実施例で示したように、撮影者はコントロールリング１１１やファンクションボタン１１２、操作ボタン５００、及びタッチパネル６００といった第２の駆動信号を生成させる操作部を操作することで、ストロボ光の照射方向を調整可能となる。例えば、撮影者がカメラ本体１００を右手で把持し、レンズ鏡筒に左手を添えていた場合は、左手を光軸に沿って前方向にずらしてコントロールリング１１１を把持することでストロボ装置４００の照射方向を調整する。あるいはその左手の指先でファンクションボタン１１２や操作ボタン５００、タッチパネル６００に触れて操作することでストロボ発光部４０１の照射方向を調整することができる。
【００６９】
従って、撮影者がカメラ本体１００のファインダーやモニターから目を離す、またはカメラ本体１００あるいはレンズ鏡筒から手を離す必要がない。そのためカメラ本体１００やレンズ鏡筒の保持を安定的に行いつつ、ストロボ光の照射方向の角度調整を撮影者自身で容易に行うことが可能となり、シャッターチャンスを逃すことがなくなる。また、レンズ鏡筒に設けられている上述の操作部を操作することで行われるストロボベース部４０２に対するストロボ発光部４０１の相対角度変化は、ストロボ発光部４０１から照射されるストロボ光の照射角度範囲を変更することで行われるようにしても良い。あるいは照射方向を変更するための操作部とは別に照射角度範囲を変更するための操作部を設けても良い。
【００７０】
上記各実施例では、ストロボ光の照射方向に関する第２の駆動信号がレンズ鏡筒で生成されている。その第２の駆動信号はレンズ鏡筒とカメラ本体１００とで通信され、カメラ本体１００のマイコンによって処理されて第１の駆動信号が生成される。そしてカメラ本体１００から第１の駆動信号をストロボ装置４００に送り、ストロボ装置４００内に有する制御部が受信後、ストロボ発光部４０１が駆動して、ストロボ光の照射方向の調整が行われる。しかし、レンズ鏡筒においてストロボ光の照射方向に関する回転指示情報として第２の駆動信号が生成された後、レンズ鏡筒内に設けたマイコンによって第２の駆動信号を処理して、第１の駆動信号を生成するようにしても良い。
【００７１】
その場合、レンズ鏡筒から、カメラ本体１００を介さずに、第１の駆動信号を直接、ストロボ装置４００に送信する。無線（ワイヤレス）通信がその一例として挙げられる。具体的には、レンズ鏡筒のマイコンからストロボ装置４００に送られる第１の駆動信号（ワイヤレス信号）をストロボ装置４００内に有する制御部が受信することで、ストロボ発光部４０１を回転駆動し、ストロボ光の照射方向の調整が行われる。ストロボ光の照射方向の調整方法は上記各実施例と同様である。この場合、レンズ鏡筒に設けたマイコンはレンズ鏡筒側の無線通信部として機能し、ストロボ装置４００内の制御部は、ストロボ装置４００側の無線通信部としても機能する。
【００７２】
さらに、カメラ本体１００のマイコンにも無線通信機能を持たせても良い。この場合、カメラ本体１００のマイコンはカメラ本体１００側の無線通信部としても機能する。そして、レンズ鏡筒側の無線通信部、カメラ本体１００側の無線通信部、ストロボ装置４００側の無線通信部がそれぞれ無線通信によって第１の駆動信号及び第２の駆動信号を送受信するようにしても良い。また、これらの無線通信方式は、ＩＥＥＥ８０２．１５の規格（Ｂｌｕｅｔｏｏｔｈ（登録商標））、ＢＬＥ（Ｂｌｕｅｔｏｏｔｈ  Ｌｏｗ  Ｅｎｅｒｇｙ）、ＺｉｇＢｅｅ（登録商標）などであっても良い。
【００７３】
なお、上記各実施例において、コントロールリング１１１、ファンクションボタン１１２、操作ボタン５００、タッチパネル６００等を上記の各実施例のレンズ鏡筒にそれぞれ設けるように構成しても良い。そして、操作者が状況に応じて上記の操作部のいずれかを操作することで第２の駆動信号を生成させるようにしても良い。それによって、例えばカメラ本体１００の姿勢に拘わらず、いずれかの操作部を操作することで、第２の駆動信号を生成することができる。
【００７４】
また、上記実施例では、コントロールリング１１１やファンクションボタン１１２、操作ボタン５００、タッチパネル６００等の操作部はレンズ鏡筒に設けられているが、これに限らず、カメラ本体１００に設けるように構成しても良い。
【００７５】
以上、本発明をその好適な実施例に基づいて詳述してきたが、本発明は上記各実施例に限定されるものではなく、本発明の主旨に基づき種々の変形が可能であり、それらを本発明の範囲から除外するものではない。
【符号の説明】
【００７６】
１００    カメラ本体
１０７    ズームゴム
１１０    フォーカスゴム
１１１    コントロールリング
１１２    ファンクションボタン
４００    ストロボ装置
４０１    ストロボ発光部
４０１ａ  発光窓
４０２    ストロボベース部
【図１】
2022003372.tif 000003
【図２】
2022003372.tif 000004
【図３】
2022003372.tif 000005
【図４】
2022003372.tif 000006
【図５】
2022003372.tif 000007
【図６】
2022003372.tif 000008
【図７】
2022003372.tif 000009
【図８】
2022003372.tif 000010
【図９】
2022003372.tif 000011